(57)【要約】【課題】カビの発生を抑え、便器用洗剤が内部に入らないようにできる。【解決手段】便器１は、ボウル部２の後方に局部洗浄装置３を配置している。局部洗浄装置３に設けたノズルガイド筒４から洗浄ノズル５を前記ボウル部２内に出し入れ自在に設ける。前記洗浄ノズル５が前記ノズルガイド筒４内に後退した状態で閉じて前記洗浄ノズル５を隠し且つ前記洗浄ノズル５が前記ボウル部２内に突出する際に開く開閉蓋６を設ける。前記ノズルガイド筒４の先端部にこのノズルガイド筒４の外面に接続した水浸入防止用の壁７を設ける。【選択図】        図１
2011174257.tif 000002
【特許請求の範囲】
【請求項１】
ボウル部の後方に局部洗浄装置を配置し、この局部洗浄装置に設けたノズルガイド筒から洗浄ノズルを前記ボウル部内に出し入れ自在に設け、前記洗浄ノズルが前記ノズルガイド筒内に後退した状態で閉じて前記洗浄ノズルを隠し且つ前記洗浄ノズルが前記ボウル部内に突出する際に開く開閉蓋を設け、前記ノズルガイド筒の先端部にこのノズルガイド筒の外面に接続した水浸入防止用の壁を設けて成ることを特徴とする便器。
【請求項２】
前記ノズルガイド筒を収納し且つボウル部側の端部が開口したノズルガイド筒収納凹部を設け、前記ノズルガイド筒収納凹部の両側面、底面と、前記ノズルガイド筒の両側面、下面との間に隙間を形成し、前記水浸入防止用の壁で前記ノズルガイド筒収納凹部の両側面と前記ノズルガイド筒の両側面との間の前記隙間を閉じ、前記水浸入防止用の壁の下端の下方位置で前記ノズルガイド筒収納凹部の底面との間の隙間が連続していることを特徴とする請求項１記載の便器。
【発明の詳細な説明】
【技術分野】
【０００１】
本発明は、洗浄ノズルを備えた便器に関するものである。
【背景技術】
【０００２】
従来から、人体の局部（臀部やビデ）に温水を噴出する局部洗浄ユニットを備えた便器が特許文献１、特許文献２などにより知られている。局部洗浄ユニットは、ノズルガイド筒内から洗浄ノズルを出し入れ自在にとしたもので、ボウル部の後方に配設されたノズルガイド筒収納凹部内にノズルガイド筒が収納されている。そして、非使用時は洗浄ノズルがノズルガイド筒内に後退しており、この状態で開閉蓋が閉じて洗浄ノズルがボウル部側に露出しないようにしている。使用時は、洗浄ノズルが開閉蓋を押し上げてボウル部内に突出し、突出位置で温水を噴出して局部洗浄を行う。局部洗浄が終わると、洗浄ノズルがボウル部の後方に後退して収納されると共に開閉蓋が閉じ、この収納状態で洗浄水を吐出して洗浄ノズルの先端をクリーニング洗浄するようになっている。
【先行技術文献】
【特許文献】
【０００３】
【特許文献１】特開２００９−０４１２００号公報
【特許文献２】特開２００８−０９５４６０号公報
【発明の概要】
【発明が解決しようとする課題】
【０００４】
しかしながら、臀部洗浄、ビデ洗浄を行う洗浄水や、洗浄ノズルをクリーニング洗浄する洗浄水は４０℃程度の温水であり、洗浄ノズルを後退させて収納させた際、ノズルガイド筒収納凹部内に温水が残るとカビが発生し易い。
【０００５】
このため、カビの発生を抑制するには、ノズルガイド筒収納凹部内に温水が残らないように、ノズルガイド筒収納凹部と、ノズルガイド筒及び洗浄ノズルの間に隙間を形成して温水がスムーズにボウル部側に排水できるようにすることが必要である。
【０００６】
一方、便器を洗剤で洗浄（掃除）するに当たり、液状又は泡状の洗剤をスプレー状に吹き付けて洗浄する。前記隙間が大きいと、便器を洗剤で洗浄する際、開閉蓋周りに吹き付けた洗剤が隙間を通り、ノズルガイド筒収納凹部を越えて内部に浸入し、粘性のある洗剤に埃が付着固化したり、電子機器に付着することによる衛生面、機器性能面で悪影響が生じるおそれがある。
【０００７】
一方、隙間を小さくすると、ノズルガイド筒収納凹部の内面とノズルガイド筒及び洗浄ノズルの間に温水が付着したまま残り、カビが発生し易くなるおそれがある。また、隙間が小さいため、発生したカビの掃除を行うためのブラシが入らず、カビの掃除が困難である。
【０００８】
本発明は上記の従来の問題点に鑑みて発明したものであって、その目的とするところは、カビの発生を抑え、便器用洗剤等の汚れが内部に入らないようにできる便器を提供するにある。
【課題を解決するための手段】
【０００９】
本発明の便器は、ボウル部の後方に局部洗浄装置を配置し、この局部洗浄装置に設けたノズルガイド筒から洗浄ノズルを前記ボウル部内に出し入れ自在に設け、前記洗浄ノズルが前記ノズルガイド筒内に後退した状態で閉じて前記洗浄ノズルを隠し且つ前記洗浄ノズルが前記ボウル部内に突出する際に開く開閉蓋を設け、前記ノズルガイド筒の先端部にこのノズルガイド筒の外面に接続した水浸入防止用の壁を設けて成ることを特徴とする。
【００１０】
また、前記ノズルガイド筒を収納し且つボウル部側の端部が開口したノズルガイド筒収納凹部を設け、前記ノズルガイド筒収納凹部の両側面、底面と、前記ノズルガイド筒の両側面、下面との間に隙間を形成し、前記水浸入防止用の壁で前記ノズルガイド筒収納凹部の両側面と前記ノズルガイド筒の両側面との間の前記隙間を閉じ、前記水浸入防止用の壁の下端の下方位置で前記ノズルガイド筒収納凹部の底面との間の隙間が連続していることが好ましい。
【発明の効果】
【００１１】
ノズルガイド筒の先端部に水浸入防止用の壁を設けてあるので、水浸入防止用の壁により、便器洗浄用の洗剤等の汚れが内部に浸入するのを防止でき、また、洗浄水の浸入も防止できる。
【図面の簡単な説明】
【００１２】
【図１】本発明の要部拡大断面図である。
【図２】同上の図１Ａ−Ａ線の一部省略断面図である。
【図３】同上に用いる下ケースに局部洗浄装置を取付けた状態の正面断面図である。
【図４】同上に用いる下ケースに局部洗浄装置を取付けた状態の平面図である。
【図５】同上の便器の後方から見た一部省略斜視図である。
【発明を実施するための形態】
【００１３】
以下、添付図面に示す実施形態に基づいて説明する。
【００１４】
便器１は、図５に示すように、便器本体１０の後部に便器付属機能装置１１を備えている。便器付属機能装置１１は、下ケース１１ａに、人体の局部に温水を噴出して洗浄するための局部洗浄装置３、人体の局部に温風を送風して乾燥するための温風乾燥装置（図示せず）、制御部（図示せず）等を取付けて構成している。なお、便器１には回動自在な便座、便蓋を備えているが図５では図示を省略している。また、図５では便器１の後部カバーの図示も省略している。
【００１５】
なお、以下の説明で「後」、「前」とは、便器本体１０の便座に人が通常の使用状態で座った際に背面となる側を「後」、正面となる側を「前」と定義して説明する。
【００１６】
便器本体１０は、ボウル部２の上端縁に沿ってリム部１２を形成すると共に、ボウル部２とリム部１２の前及び両側をスカート部２５で覆うことで構成している。
【００１７】
リム部１２の後部には図１に示すように後方に開口した凹所１２ａを形成し、この凹所１２ａの底面部から前面部（リム部１２の内周壁）にかけて開口部１３を設けている。
【００１８】
便器付属機能装置１１は便器本体１０の後部に一体に組み込んであるが、必ずしもこれにのみ限定されず、便器付属機能装置１１が便器本体１０とは別体で便器本体１０の後部上面に載置したものであってもよい。
【００１９】
実施形態においては、図５に示すように、便器付属機能装置１１を便器本体１０の後部に一体に組み込んだ例を示しており、床に固定される便器用フレーム１９の前部に便器本体１０を取付け、便器用フレーム１９の後部に下ケース１１ａを取付けている。
【００２０】
図１乃至図４に示すように、下ケース１１ａにノズルガイド筒収納凹部８を設けており、下ケース１１ａの前端部（ノズルガイド筒収納凹部８を設けた部分）をリム部１２の凹所１２ａに嵌め込んだ状態で、下ケース１１ａが便器用フレームに取付けられる。
【００２１】
ノズルガイド筒収納凹部８は上方及び前端が開口した断面Ｕ字状をしており、底面８ｂが前端側ほど下となるように傾斜していて、前端の開口はボウル部２への排水口８ｃとなっている。ノズルガイド筒収納凹部８の後端に巾方向にわたって後支持突部１６を突設し、底面８ｂの前部の巾方向の一部（図１、図２、図３では巾方向の中央部）に前支持突部１７を突設している。後支持突部１６及び前支持突部１７に略半円状をした凹み１６ａ、１７ａを形成している。
【００２２】
局部洗浄装置３は、ノズルガイド筒４と、ノズルガイド筒４に出し入れ自在に収納される洗浄ノズル５を備えている。また、局部洗浄装置３には下ケース１１ａに固定するための固定部１５を設けている。
【００２３】
ノズルガイド筒４の前端部（先端部）に、板状をした水浸入防止用の壁７を配置している。水浸入防止用の壁７はノズルガイド筒４の外面との間に隙間が生じないように接続している。ここで、水浸入防止用の壁７とノズルガイド筒４を一体に形成してもよく、また、水浸入防止用の壁７をノズルガイド筒４に固着してもよく、また、両者の間に隙間が生じないように嵌め込みにより取付けてもよい。
【００２４】
水浸入防止用の壁７は厚み１ｍｍ程度の板状をしていてポリプロピレンなどの耐洗剤性に優れた材料で形成してあるのが好ましい。
【００２５】
ノズルガイド筒４の前端部の水浸入防止用の壁７を設けた部分よりも前部に飛散防止板１４を設けている。この飛散防止板１４はノズルガイド筒４より前方に向けて突出し、飛散防止板１４の前端に開閉蓋６の上端を回動自在に取付けている。
【００２６】
後支持突部１６、前支持突部１７の凹み１６ａ、１７ａにノズルガイド筒４を嵌め込み位置決め支持した状態で、図４のように、固定部１５をねじ１８により下ケース１１ａに設けたボスに固定して、局部洗浄装置３を下ケース１１ａに取付けている。これにより、ノズルガイド筒４の少なくとも前部がノズルガイド筒収納凹部８内に位置し、且つ、ノズルガイド筒収納凹部８の両側面８ａ、底面８ｂと、前記ノズルガイド筒４の両側面４ａ、下面４ｂとの間に隙間９を形成した状態で取付けられる。
【００２７】
この隙間９の巾は、浸入した水が毛細管で隙間９に滞留することなく、重力で流れることができる寸法が確保してある。
【００２８】
また、図２、図３に示すように、水浸入防止用の壁７の両側がノズルガイド筒収納凹部８の両側面８ａに当接し、ノズルガイド筒収納凹部８の両側面８ａとノズルガイド筒４の両側面４ａとの間の隙間９を閉じている。水浸入防止用の壁７の下端はノズルガイド筒収納凹部８の底面８ｂよりも上方にずれて位置しており、したがって、水浸入防止用の壁７の下端の下方で、ノズルガイド筒収納凹部８の底面８ｂとノズルガイド筒４の下面４ｂとの間の隙間９が連続している。ここで、水浸入防止用の壁７の下方における隙間９の連続部分が水浸入防止用の壁７で閉じられなかった部分が排水用隙間９ａとなっている。
【００２９】
なお、水浸入防止用の壁７の下端の巾方向の一部の下方にのみ排水用隙間９ａを形成し、水浸入防止用の壁７の下端の巾方向の他の一部を下方に突出してノズルガイド筒収納凹部８の底面８ｂに当接させてもよい。
【００３０】
図１、図２に示すように、水浸入防止用の壁７の上部はノズルガイド筒４より上方に突出していて、上端部がリム部１２の凹所１２ａの上面部の下面に当接している。
【００３１】
ノズルガイド筒４の先端に設けた開閉蓋６はリム部１２の開口部１３に位置し、ノズルガイド筒収納凹部８前端の排水口８ｃが開閉蓋６の後方においてボウル部２内に臨んでいる。
【００３２】
洗浄ノズル５は、非使用時は後退して前端を除いてノズルガイド筒４内に収納される。この状態では開閉蓋６がリム部１２の開口部１３を閉じ、収納状態の洗浄ノズル５が外部に露出しないようになっている。使用時には、洗浄ノズル５がノズルガイド筒４から前方に移動し、開閉蓋６を押し上げてボウル部２内に突出し、この突出状態で洗浄ノズル５の先端から温水を噴出して人体の局部を洗浄するようになっている。人体の局部洗浄が終わると、洗浄ノズル５が後退してノズルガイド筒４に収納され、洗浄ノズル５の先端が開閉蓋６の後方に後退することで開閉蓋６が自重で回動して閉じる。
【００３３】
また、この洗浄ノズル５は、人体の局部洗浄終了直後の突出したままの状態、又は、後退途中の状態、又は、収納された状態で温水を噴出して洗浄ノズル５の外面をクリーニング洗浄するようになっている。実施形態では、後方に後退して収納され、開閉蓋６が閉じた状態で、温水を噴出して洗浄ノズル５の先端部をクリーニング洗浄する例であり、飛散防止板１４で洗浄水の飛散を防止しながら洗浄し、洗浄後、更に少し後方に後退して図１の状態となるように構成している。
【００３４】
このクリーニング洗浄において、４０℃程度の温度の洗浄水の大部分はノズルガイド筒収納凹部８の前端の排水口８ｃからボウル部２に排水される。また、洗浄水の一部がノズルガイド筒収納凹部８の前端部から後方に飛散しようとするが、水浸入防止用の壁７により洗浄水の大部分が後方に飛散するのが防止される。
【００３５】
しかし、水浸入防止用の壁７のノズルガイド筒収納凹部８の内面や凹所１２ａの上面部の下面との当接部分などから洗浄水がノズルガイド筒収納凹部８の後方側に毛細管現象などで浸入することがある。このような場合、浸入した水は毛細管現象で隙間９に滞留することなく、重力で流れ、ノズルガイド筒収納凹部８の傾斜した底面８ｂに沿って前方に流れ、排水口８ｃからボウル部２に排水される。
【００３６】
この場合、水浸入防止用の壁７の下方に排水用隙間９ａが形成してあるため、この排水用隙間９ａを通って前端の排水口８ｃからボウル部２内に排水される。これによりノズルガイド筒収納凹部８の両側面８ａ、底面８ｂと、前記ノズルガイド筒４の両側面４ａ、下面４ｂとの間に隙間９に温度が４０℃程度の洗浄水が毛細管現象により滞留することがなく、温水が滞留することによるカビの発生を抑制することが可能となる。
【００３７】
また、小便や、便器１を洗浄（掃除）する際に使用する水が、水浸入防止用の壁７のノズルガイド筒収納凹部８の内面や凹所１２ａの上面部の下面との当接部分などから浸入することも考えられるが、この場合も、上記と同様にしてスムーズに排水口８ｃからボウル部２に排水される。
【００３８】
一方、便器１を洗浄（掃除）するに当たっては、液状又は泡状の洗剤をスプレー状に吹き付けて洗浄するのが一般的である。開閉蓋６周りを洗浄するために、洗剤をスプレー状に吹き付け、開閉蓋６の周囲から洗剤が浸入したとしても、洗剤は水浸入防止用の壁７で洗剤の内部への浸入を防ぐことが可能となる。しかも、洗剤は水に比べて粘性があるため、水浸入防止用の壁７のノズルガイド筒収納凹部８の内面や凹所１２ａの上面部の下面との当接部分などから後方側（内部側）に浸入するのが防止される。したがって、洗剤がノズルガイド筒収納凹部８を越えて内部に浸入し、粘性のある洗剤に埃が付着固化したり、電子機器に付着することによる衛生面、機器性能面で悪影響を抑制できる。
【００３９】
なお、開閉蓋６を開けてブラシで掃除する場合、ブラシをノズルガイド筒収納凹部８の前部において、ノズルガイド筒収納凹部８とノズルガイド筒４との間の隙間９に差し込んで掃除することもできる。
【符号の説明】
【００４０】
１  便器
２  ボウル部
３  局部洗浄装置
４  ノズルガイド筒
４ａ  側面
４ｂ  下面
５  洗浄ノズル
６  開閉蓋
７  水浸入防止用の壁
８  ノズルガイド筒収納凹部
８ａ  側面
８ｂ  底面
９  隙間
９ａ  排水用隙間
【図１】
2011174257.tif 000003
【図２】
2011174257.tif 000004
【図３】
2011174257.tif 000005
【図４】
2011174257.tif 000006
【図５】
2011174257.tif 000007